(57)【要約】  【目的】  バーコードに記録されているアクセス・ポイント情報をカメラで撮像して読み取る場合に，比較的大きな画像を得る。  【構成】  二次元バーコードには，無線ＬＡＮを用いた送信をするためのESS-ID，WEP-KEYなどのＡＰ情報が記録されている。ディジタル・スチル・カメラを用いて二次元バーコードを撮像し，二次元バーコード画像が得られる。得られた二次元バーコード画像からＡＰ情報が読み取られる。読み取られたＡＰ情報を用いて無線ＬＡＮによる画像データの送信が行われる。二次元バーコードを撮像するときには，自動的にマクロ撮像モードに設定される。二次元バーコードを接写でき，比較的大きな画像が得られるので，比較的正確にＡＰ情報を読み取ることができる。  【選択図】  図３
2005286439.tif 000002
【特許請求の範囲】
【請求項１】
被写体を撮像し，被写体像を表す画像データを出力する撮像手段および上記撮像手段から出力された画像データを記録媒体に記録する記録制御手段を備えたディジタル・スチル・カメラにおいて，
無線ＬＡＮを利用した送信に用いられる設定情報が記録されているバーコードを撮像するモードを設定するバーコード撮像モード設定手段，
上記バーコード撮像モード設定手段によってバーコード撮像モードが設定されたことに応じて，マクロ撮像モードによって上記バーコードを撮像し，上記バーコードの画像を表すバーコード画像データを出力するように上記撮像手段を制御する撮像制御手段，
上記撮像制御手段の制御にもとづいて，上記撮像手段から出力されたバーコード画像データから上記無線ＬＡＮ設定情報を検出する無線ＬＡＮ設定情報検出手段，ならびに
上記無線ＬＡＮ設定情報検出手段によって検出された無線ＬＡＮ設定情報を用いて，上記記録媒体に記録されている画像データを無線送信する無線ＬＡＮ送信装置，
を備えたディジタル・スチル・カメラ。
【請求項２】
プレビュー・モードの設定手段，
上記プレビュー・モード設定手段によってプレビュー・モードが設定されたことに応じて，上記撮像手段から出力された画像データを一時的に記憶するカメラ内蔵メモリ，および
記録指令を入力する記録指令手段をさらに備え，
上記記録制御手段が，上記記録指令手段から記録指令が入力されたことに応じて，上記カメラ内蔵メモリに一時的に記憶されている画像データを記録媒体に記録するものであり，
上記無線ＬＡＮ設定情報検出手段が，上記カメラ内蔵メモリに一時的に記憶されたバーコード画像データから無線ＬＡＮ設定情報を検出するものである，
請求項１に記載のディジタル・スチル・カメラ。
【請求項３】
上記無線ＬＡＮ情報検出手段による無線ＬＡＮ情報検出が失敗したことにより，バーコード撮像および無線ＬＡＮ設定情報検出を繰り返すように上記撮像制御手段および上記無線ＬＡＮ情報検出手段を制御する制御手段，
をさらに備えた請求項２に記載のディジタル・スチル・カメラ。
【請求項４】
被写体を撮像し，被写体像を表す画像データを出力する撮像手段および上記撮像手段から出力された画像データを記録媒体に記録する記録制御手段を備えたディジタル・スチル・カメラにおいて，
画像データの送信先情報が記録されているバーコードを撮像するモードを設定するバーコード撮像モード設定手段，
上記バーコード撮像モード設定手段によってバーコード撮像モードが設定されたことに応じて，マクロ撮像モードによって上記バーコードを撮像し，上記バーコードの画像を表すバーコード画像データを出力するように上記撮像手段を制御する撮像制御手段，
上記撮像制御手段の制御にもとづいて，上記撮像手段から出力されたバーコード画像データから上記送信先情報を検出する送信先情報検出手段，ならびに
上記送信先情報検出手段によって検出された送信先情報によって特定される送信先に，上記記録媒体に記録されている画像データを無線送信する無線ＬＡＮ装置，
を備えたディジタル・スチル・カメラ。
【請求項５】
プレビュー・モードの設定手段，
上記プレビュー・モード設定手段によってプレビュー・モードが設定されたことに応じて，上記撮像手段から出力された画像データを一時的に記憶するカメラ内蔵メモリ，および
記録指令を入力する記録指令手段をさらに備え，
上記記録制御手段が，上記記録指令手段から記録指令が入力されたことに応じて，上記カメラ内蔵メモリに一時的に記憶されている画像データを記録媒体に記録するものであり，
上記送信先情報検出手段が，上記カメラ内蔵メモリに一時的に記憶されたバーコード画像データから送信先情報を検出するものである，
請求項４に記載のディジタル・スチル・カメラ。
【請求項６】
上記送信先情報検出手段による送信先情報検出が失敗したことにより，バーコード撮像および送信先情報検出を繰り返すように上記撮像制御手段および上記送信先情報検出手段を制御する制御手段，
をさらに備えた請求項５に記載のディジタル・スチル・カメラ。
【請求項７】
上記撮像手段は，被写体を撮像し，被写体像を表すアナログ映像信号を出力する固体電子撮像素子，上記固体電子撮像素子から出力されたアナログ映像信号のレベルを調整するゲイン・コントロール増幅回路および上記ゲイン・コントロール増幅回路から出力されたアナログ映像信号を画像データに変換するアナログ／ディジタル変換回路を備えており，
ストロボ発光装置，ならびに
上記バーコード撮像モード設定手段によってバーコード撮像モードが設定されたことに応じて，上記ストロボ発光装置におけるストロボ発光をオフにし，かつ上記ゲイン・コントロール増幅回路におけるゲインを上げるように制御する制御手段，
をさらに備えた請求項１または４に記載のディジタル・スチル・カメラ。
【請求項８】
撮像手段を用いて被写体を撮像し，被写体像を表す画像データを記録媒体に記録するディジタル・スチル・カメラにおいて，
無線ＬＡＮ送信モードの設定手段，
上記無線ＬＡＮモード設定手段による無線ＬＡＮ送信モードの設定に応じて，設定されている無線ＬＡＮ情報にもとづいて上記記録媒体に記録されている画像データを無線送信する無線ＬＡＮ装置，
上記無線ＬＡＮ送信モード設定手段による無線ＬＡＮ送信モードが設定されていることに応じて，無線ＬＡＮの設定情報が記録されているバーコードを撮像するモードを設定するバーコード撮像モード設定手段，
上記バーコード撮像モード設定手段によってバーコード撮像モードが設定されたことに応じて，上記バーコードを撮像し，上記バーコードの画像を表すバーコード画像データを出力するように上記撮像手段を制御する撮像制御手段，
上記撮像制御手段の制御にもとづいて，上記撮像手段から出力されたバーコード画像データから，上記無線ＬＡＮ送信情報を検出する無線ＬＡＮ送信情報検出手段，ならびに
上記無線ＬＡＮ送信情報検出手段によって検出された無線ＬＡＮ送信情報を上記無線ＬＡＮ装置に設定する無線ＬＡＮ装置設定手段，
を備えたディジタル・スチル・カメラ。
【請求項９】
被写体を撮像し，被写体像を表す画像データを出力する撮像手段および上記撮像手段から出力された画像データを記録媒体に記録する記録制御手段を備えたディジタル・スチル・カメラにおいて，
無線ＬＡＮを利用した送信に用いられる設定情報が記録されているバーコードを撮像するモードが設定されたことに応じて，マクロ撮像モードによって上記バーコードを撮像し，上記バーコードの画像を表すバーコード画像データを出力するように上記撮像手段を制御し，
上記撮像手段から出力されたバーコード画像データから上記無線ＬＡＮ設定情報を検出し，
検出された無線ＬＡＮ設定情報を用いて，上記記録媒体に記録されている画像データを無線ＬＡＮによって無線送信する，
ディジタル・スチル・カメラの制御方法。
【請求項１０】
被写体を撮像し，被写体像を表す画像データを出力する撮像手段および上記撮像手段から出力された画像データを記録媒体に記録する記録制御手段を備えたディジタル・スチル・カメラにおいて，
画像データの送信先情報が記録されているバーコードを撮像するモードが設定されたことに応じて，マクロ撮像モードによって上記バーコードを撮像し，上記バーコードの画像を表すバーコード画像データを出力するように上記撮像手段を制御し，
上記撮像手段から出力されたバーコード画像データから上記送信先情報を検出し，
検出された送信先情報によって特定される送信先に，上記記録媒体に記録されている画像データを無線送信する，
ディジタル・スチル・カメラの制御方法。
【請求項１１】
撮像手段を用いて被写体を撮像し，被写体像を表す画像データを記録媒体に記録するディジタル・スチル・カメラにおいて，
無線ＬＡＮ送信モードの設定に応じて，設定されている無線ＬＡＮ情報にもとづいて上記記録媒体に記録されている画像データを無線送信し，
無線ＬＡＮ送信モードが設定されていることに応じて，無線ＬＡＮの設定情報が記録されているバーコードを撮像するモードを設定し，
バーコード撮像モードが設定されたことに応じて，上記バーコードを撮像し，上記バーコードの画像を表すバーコード画像データを出力するように上記撮像手段を制御し，
上記撮像手段から出力されたバーコード画像データから，上記無線ＬＡＮ送信情報を検出し，
検出された無線ＬＡＮ送信情報を上記無線ＬＡＮ装置に設定する，
ディジタル・スチル・カメラの制御方法。
【発明の詳細な説明】
【技術分野】
【０００１】
この発明は，ディジタル・スチル・カメラおよびその制御方法に関する。
【背景技術】
【０００２】
バーコードには，さまざまな情報を記録することができることからその利用が多岐に渡っている。バーコード・リーダを用いてバーコードを読み取ることにより，そのバーコードによって示されている内容が認識される。バーコードは，バーコード・リーダによって読み取るだけでなく，そのバーコードを撮像することによりその内容を読み取ることもできる（特許文献１参照）。
【特許文献１】特開平９−114913号公報
【０００３】
バーコードは，比較的小さいものであるから接写して，大きな画像を得る必要がある。
【０００４】
また，印刷制御コマンドを撮影することにより，デジタルカメラにその印刷制御コマンドを取り込むようなものもある（特許文献２）。
【特許文献２】特開2003−131838号公報
【発明の開示】
【０００５】
この発明は，比較的大きなバーコード画像を得ることを目的とする。
【０００６】
第１の発明は，被写体を撮像し，被写体像を表す画像データを出力する撮像手段および上記撮像手段から出力された画像データを記録媒体に記録する記録制御手段を備えたディジタル・スチル・カメラにおいて，無線ＬＡＮを利用した送信に用いられる設定情報が記録されているバーコードを撮像するモードを設定するバーコード撮像モード設定手段，上記バーコード撮像モード設定手段によってバーコード撮像モードが設定されたことに応じて，マクロ撮像モードによって上記バーコードを撮像し，上記バーコードの画像を表すバーコード画像データを出力するように上記撮像手段を制御する撮像制御手段，上記撮像制御手段の制御にもとづいて，上記撮像手段から出力されたバーコード画像データから上記無線ＬＡＮ設定情報を検出する無線ＬＡＮ設定情報検出手段，ならびに上記無線ＬＡＮ設定情報検出手段によって検出された無線ＬＡＮ設定情報を用いて，上記記録媒体に記録されている画像データを無線送信する無線ＬＡＮ送信装置を備えていることを特徴とする。
【０００７】
第１の発明は，上記ディジタル・スチル・カメラに適した制御方法も提供している。すなわち，この方法は，被写体を撮像し，被写体像を表す画像データを出力する撮像手段および上記撮像手段から出力された画像データを記録媒体に記録する記録制御手段を備えたディジタル・スチル・カメラにおいて，無線ＬＡＮを利用した送信に用いられる設定情報が記録されているバーコードを撮像するモードが設定されたことに応じて，マクロ撮像モードによって上記バーコードを撮像し，上記バーコードの画像を表すバーコード画像データを出力するように上記撮像手段を制御し，上記撮像手段から出力されたバーコード画像データから上記無線ＬＡＮ設定情報を検出し，検出された無線ＬＡＮ設定情報を用いて，上記記録媒体に記録されている画像データを無線ＬＡＮによって無線送信するものである。
【０００８】
第１の発明によると，バーコード撮像モードが設定されると，マクロ撮像モードによって無線ＬＡＮを利用した送信に用いられる設定情報が記録されているバーコードが撮像される。バーコードが撮像されることにより得られるバーコード画像データから無線ＬＡＮ設定情報が検出される。検出された無線ＬＡＮ設定情報を用いて，記録媒体に記録されている画像データが無線送信される。
【０００９】
バーコードの撮像は，マクロ撮像モードにおいて行われるから（マクロ撮像モードにより，撮像手段の焦点距離が短くなるように設定される），接写でき，大きなバーコード画像を得ることができる。バーコードに記録されている無線ＬＡＮ設定情報を比較的正確に読み取ることができるようになる。
【００１０】
プレビュー・モードの設定手段，上記プレビュー・モード設定手段によってプレビュー・モードが設定されたことに応じて，上記撮像手段から出力された画像データを一時的に記憶するカメラ内蔵メモリ，および記録指令を入力する記録指令手段をさらに備えるようにしてもよい。この場合，上記記録制御手段は，上記記録指令手段から記録指令が入力されたことに応じて，上記カメラ内蔵メモリに一時的に記憶されている画像データを記録媒体に記録するものであり，上記無線ＬＡＮ設定情報検出手段は，上記カメラ内蔵メモリに一時的に記憶されたバーコード画像データから無線ＬＡＮ設定情報を検出するものとなろう。
【００１１】
好ましくは，上記無線ＬＡＮ情報検出手段による無線ＬＡＮ情報検出が失敗したことにより，バーコード撮像および無線ＬＡＮ設定情報検出を繰り返すように上記撮像制御手段および上記無線ＬＡＮ情報検出手段を制御する制御手段をさらに備えることとなろう。
【００１２】
第２の発明は，被写体を撮像し，被写体像を表す画像データを出力する撮像手段および上記撮像手段から出力された画像データを記録媒体に記録する記録制御手段を備えたディジタル・スチル・カメラにおいて，画像データの送信先情報が記録されているバーコードを撮像するモードを設定するバーコード撮像モード設定手段，上記バーコード撮像モード設定手段によってバーコード撮像モードが設定されたことに応じて，マクロ撮像モードによって上記バーコードを撮像し，上記バーコードの画像を表すバーコード画像データを出力するように上記撮像手段を制御する撮像制御手段，上記撮像制御手段の制御にもとづいて，上記撮像手段から出力されたバーコード画像データから上記送信先情報を検出する送信先情報検出手段，ならびに上記送信先情報検出手段によって検出された送信先情報によって特定される送信先に，上記記録媒体に記録されている画像データを無線送信する無線ＬＡＮ装置を備えていることを特徴とする。
【００１３】
第２の発明は，上記ディジタル・スチル・カメラに適した制御方法も提供している。すなわち，この方法は，被写体を撮像し，被写体像を表す画像データを出力する撮像手段および上記撮像手段から出力された画像データを記録媒体に記録する記録制御手段を備えたディジタル・スチル・カメラにおいて，画像データの送信先情報が記録されているバーコードを撮像するモードが設定されたことに応じて，マクロ撮像モードによって上記バーコードを撮像し，上記バーコードの画像を表すバーコード画像データを出力するように上記撮像手段を制御し，上記撮像手段から出力されたバーコード画像データから上記送信先情報を検出し，検出された送信先情報によって特定される送信先に，上記記録媒体に記録されている画像データを無線送信するものである。
【００１４】
第２の発明においても，バーコードの撮像は，マクロ撮像モードにおいて行われるから，比較的大きななバーコード画像を得ることができる。バーコードに記録されている送信先情報を比較的正確に読み取ることができるようになる。
【００１５】
第２の発明においても，プレビュー・モードの設定手段，上記プレビュー・モード設定手段によってプレビュー・モードが設定されたことに応じて，上記撮像手段から出力された画像データを一時的に記憶するカメラ内蔵メモリ，および記録指令を入力する記録指令手段をさらに備えることが好ましい。この場合，上記記録制御手段は，上記記録指令手段から記録指令が入力されたことに応じて，上記カメラ内蔵メモリに一時的に記憶されている画像データを記録媒体に記録するものであり，上記送信先情報検出手段は，上記カメラ内蔵メモリに一時的に記憶されたバーコード画像データから送信先情報を検出するものとなろう。
【００１６】
また，上記送信先情報検出手段による送信先情報検出が失敗したことにより，バーコード撮像および送信先情報検出を繰り返すように上記撮像制御手段および上記送信先情報検出手段を制御する制御手段をさらに備えるようにしてもよい。
【００１７】
さらに，上記撮像手段が，被写体を撮像し，被写体像を表すアナログ映像信号を出力する固体電子撮像素子，上記固体電子撮像素子から出力されたアナログ映像信号のレベルを調整するゲイン・コントロール増幅回路および上記ゲイン・コントロール増幅回路から出力されたアナログ映像信号を画像データに変換するアナログ／ディジタル変換回路を備えている場合には，ストロボ発光装置，ならびに上記バーコード撮像モード設定手段によってバーコード撮像モードが設定されたことに応じて，上記ストロボ発光装置におけるストロボ発光をオフにし，かつ上記ゲイン・コントロール増幅回路におけるゲインを上げるように制御する制御手段をさらに備えることが好ましい。より精細なバーコード画像を得ることができるようになる。
【００１８】
第３の発明は，撮像手段を用いて被写体を撮像し，被写体像を表す画像データを記録媒体に記録するディジタル・スチル・カメラにおいて，無線ＬＡＮ送信モードの設定手段，上記無線ＬＡＮモード設定手段による無線ＬＡＮ送信モードの設定に応じて，設定されている無線ＬＡＮ情報にもとづいて上記記録媒体に記録されている画像データを無線送信する無線ＬＡＮ装置，上記無線ＬＡＮ送信モード設定手段による無線ＬＡＮ送信モードが設定されていることに応じて，無線ＬＡＮの設定情報が記録されているバーコードを撮像するモードを設定するバーコード撮像モード設定手段，上記バーコード撮像モード設定手段によってバーコード撮像モードが設定されたことに応じて，上記バーコードを撮像し，上記バーコードの画像を表すバーコード画像データを出力するように上記撮像手段を制御する撮像制御手段，上記撮像制御手段の制御にもとづいて，上記撮像手段から出力されたバーコード画像データから，上記無線ＬＡＮ送信情報を検出する無線ＬＡＮ送信情報検出手段，ならびに上記無線ＬＡＮ送信情報検出手段によって検出された無線ＬＡＮ送信情報を上記無線ＬＡＮ装置に設定する無線ＬＡＮ装置設定手段を備えていることを特徴とする。
【００１９】
第３の発明は，上記ディジタル・スチル・カメラに適した制御方法も提供している。すなわち，この方法は，撮像手段を用いて被写体を撮像し，被写体像を表す画像データを記録媒体に記録するディジタル・スチル・カメラにおいて，無線ＬＡＮ送信モードの設定に応じて，設定されている無線ＬＡＮ情報にもとづいて上記記録媒体に記録されている画像データを無線送信し，無線ＬＡＮ送信モードが設定されていることに応じて，無線ＬＡＮの設定情報が記録されているバーコードを撮像するモードを設定し，バーコード撮像モードが設定されたことに応じて，上記バーコードを撮像し，上記バーコードの画像を表すバーコード画像データを出力するように上記撮像手段を制御し，上記撮像手段から出力されたバーコード画像データから，上記無線ＬＡＮ送信情報を検出し，検出された無線ＬＡＮ送信情報を上記無線ＬＡＮ装置に設定するものである。
【００２０】
第３の発明によると，無線ＬＡＮ送信モードが設定されている場合にバーコード撮像モードを設定することができる。無線ＬＡＮ送信モードが設定されている場合に，無線ＬＡＮ送信を利用するための無線ＬＡＮ送信情報が記録されているバーコードを撮像できることとなるので，無線ＬＡＮ送信に必要なときにその無線ＬＡＮ送信に必要なバーコード撮像モードに移行できるようになる。
【実施例】
【００２１】
図１(A) は，ディジタル・スチル・カメラ１の背面側を示している。図１(B)  はモード選択ダイアル２の拡大平面図である。
【００２２】
図１(A)を参照して，ディジタル・スチル・カメラ１の上面において，背面から見て右奥の隅にはシャッタ・レリーズ・ボタン３が設けられている。このシャッタ・レリーズ・ボタン３の手前にはモード選択ダイアル２が回転自在に設けられている。また，背面から見て上面の左隅には無線アンテナ４が設けられている。
【００２３】
ディジタル・スチル・カメラ１の背面には，その中央部分に表示画面７が形成されている。表示画面７には，撮像によって得られた画像，ディジタル・スチル・カメラ１に装着されたメモリ・カードから読出された画像データによって表される画像，ディジタル・スチル・カメラ１の各種設定のための画像等が表示される。
【００２４】
表示画面７の左上には，マクロ・モード設定ボタン５が設けられている。表示画面７の上側に電源スイッチ12が設けられている。表示画面７の右側には，表示画面７に表示させるべき駒の選択，各種設定等に利用される上下左右キー８，メニュー・ボタン９，実行ボタン10および取消（キャンセル）ボタン11が設けられている。さらに，ディジタル・スチル・カメラ１の正面には撮像レンズ（図示略）が設けられ，側面（図１(A)においては見えない側面）にはＵＳＢ（Universal Serial Bus）コネクタが形成されている。
【００２５】
図２(B)を参照して，モード選択ダイアル２の左側には，指標２Ａが形成されている。モード選択ダイアル２上には，Setupの文字２ａ，WLANの文字２ｂ，USBの文字２ｃ，Movの文字２ｄ，Camの文字２ｅ，およびPlayの文字２ｆが周方向に所定間隔ずつ空けられて形成されている。
【００２６】
セットアップ・モードが設定される場合には，Setupの文字２ａが指標２Ａに位置決めされる。無線ＬＡＮモードが設定される場合には，WLANの文字２ｂが指標２Ａに位置決めされる。USBモードが設定される場合には，USBの文字２ｃが指標２Ａに位置決めされる。ムービ・モードが設定される場合には，Movの文字２ｄが指標２Ａに位置決めされる。カメラ・モードが設定される場合には，Camの文字２ｅが指標２Ａに位置決めされる。再生モードが設定される場合には，Playの文字２ｆが指標２Ａに位置決めされる。
【００２７】
初期設定等を行う場合にセットアップ・モードが，無線ＬＡＮを用いた通信を行う場合に無線ＬＡＮモードが，パーソナル・コンピュータとの間でＵＳＢケーブルを用いたデータの送受信を行う場合にＵＳＢモードが，ムービ撮影を行う場合にムービ・モードが，静止画撮影を行う場合にカメラ・モードが，動画または静止画を再生する場合に再生モードが，それぞれユーザによって選択される。
【００２８】
図２は，ディジタル・スチル・カメラ１の電気的構成を示すブロック図である。
【００２９】
ディジタル・スチル・カメラ１の全体の動作はＣＰＵ15によって統括される。ディジタル・スチル・カメラ１に含まれているＣＰＵ15，他の種々の回路および装置にはバッテリ43から電源が供給される。
【００３０】
ディジタル・スチル・カメラ１には，システム・メモリ34および不揮発性メモリ35が含まれている。システム・メモリ34に，ディジタル・スチル・カメラ１の動作制御のためのプログラムおよびデータ等が記憶されている。不揮発性メモリ35には，後述するように無線ＬＡＮを用いた通信のための設定情報（ESS-ID，WEP-KEY），画像データの送信先情報（送信先のアドレス，パスワードなど）などが記憶される。
【００３１】
タイマ36はセルフ・タイマ撮影のときの経過時間の計測に用いられる。カレンダおよび時計37によって日時が計測される。このカレンダおよび時計37は後述するカウンタ機能も有している。
【００３２】
上述したモード選択ダイアル２，シャッタ・レリーズ・ボタン３，上下左右キー８，メニュー・ボタン９，実行ボタン10，取消ボタン11等（図３において符号39で示す）からの出力信号は，Ｉ／Ｏ（Input/Output）ユニット38を介してＣＰＵ15に入力する。ディジタル・スチル・カメラ１に発光ダイオードが設けられている場合には，Ｉ／Ｏユニット38を介して発光素子に発光信号が出力される。
【００３３】
ストロボ発光装置５は，ストロボ制御装置24によってその発光制御される。
【００３４】
ディジタル・スチル・カメラ１には，撮像回路16が含まれている。この撮像回路16には，被写体を撮像し，被写体像を表すアナログ映像信号を出力するＣＣＤおよびこのＣＣＤの受光面上に被写体像を結像するためのズーム・レンズが含まれている。モード選択ダイアル２によってカメラ・モードが選択されると，撮像回路16に含まれるＣＣＤによって被写体が撮像される。被写体像を表す映像信号が撮像回路16から信号処理ブロック20に出力され，所定の信号処理が実行される。具体的には，撮像回路16から出力されたアナログ映像信号は，ゲイン・コントロール増幅回路17においてＣＰＵ15から与えられるゲイン制御信号にもとづいて増幅される（ゲイン・コントロール増幅回路17における増幅の程度を上げることによりＩＳＯ感度に相当する感度を上げることができる。）。ゲイン・コントロール増幅回路17から出力されたアナログ映像信号は，相関二重サンプリング回路18において相関二重サンプリングが行われ，信号処理回路19に入力する。信号処理回路19において，白バランス調整，ガンマ補正などの所定の信号処理が行われアナログ／ディジタル変換回路23に入力する。アナログ／ディジタル変換回路23においてディジタル画像データに変換される。
【００３５】
ディジタル画像データは，フレーム・メモリ29を介してＬＣＤ（液晶表示装置）制御回路31に入力し，ＬＣＤ制御回路31においてＬＣＤ表示に適したデータに変換等される。ＬＣＤ制御回路31からの出力データが液晶表示装置32に与えられる。表示画面７に画像が表示される。
【００３６】
ＬＣＤ制御回路31にはＯＳＤ（On Screen Device）30からオン・スクリーン信号も入力する。撮像された画像上に，オン・スクリーン信号によって表される日時を表す文字，キャラクタを表す画像等を重畳させて，液晶表示装置32（表示画面７）上に表示することができる。
【００３７】
モード選択ダイアル２によってカメラ・モードが選択されているときにシャッタ・レリーズ・ボタン３が押されると，上述のようにして得られた画像データは，フレーム・メモリ29に一時的に記憶される。画像データはフレーム・メモリ29から読出され，圧縮／伸張回路25において圧縮される。圧縮された画像データがカード・インターフェイス40を介してメモリ・カード・スロット41に装着されているメモリ・カード42に記録される。
【００３８】
再生モードが選択されると，メモリ・カード42に記録されている画像データが読出され，カード・インターフェイス40を介して圧縮／伸張回路25に与えられる。圧縮／伸張回路25において伸張処理が行われ，伸張された画像データがフレーム・メモリ29を介してＬＣＤ制御回路31に入力する。メモリ・カード42に記録されている画像データによって表される画像が，液晶表示装置32（表示画面７）に表示される。
【００３９】
上述のように，ディジタル・スチル・カメラ１は，無線ＬＡＮを利用して無線送信するためのアンテナ４を備えている。アンテナ４に無線インターフェイス26が接続されている。アンテナ４を介して，ディジタル・スチル・カメラ１と画像データ受信装置（図示略）との間において，不揮発性メモリ35に記憶されている無線ＬＡＮ設定情報を用いて無線ＬＡＮを利用した画像データの送受信が行われる。
【００４０】
また，ディジタル・スチル・カメラ１には，パーソナル・コンピュータなどとUSBケーブルを用いて通信するためのUSBコネクタ28およびUSBファンクション・ドライバ27が設けられている。
【００４１】
この実施例によるディジタル・スチル・カメラにおいては，ＡＰ（アクセス・ポイント）情報（無線ＬＡＮ設定情報）が記録されている二次元バーコード（一次元その他のバーコードでもよい）を撮像することにより，二次元バーコードに記録されているアクセス・ポイント情報が読み取られる。読み取られたアクセス・ポイント情報が不揮発性メモリ35に記憶されることにより，ディジタル・スチル・カメラ１に設定される。同様に，送信先情報が記録されている二次元バーコードが撮像されることにより，その送信先情報が二次元バーコードから読み取られる。読み取られた送信先情報は不揮発性メモリ35に記憶させられる。とくに，この実施例においては，二次元バーコードが撮像される場合には，マクロ撮像モードに設定される（近距離の被写体を撮像するのに適するように，焦点距離が短くなるような位置にズーム・レンズが位置決めされる）。したがって，比較的大きなな二次元バーコード画像が得られる。
【００４２】
図３は，二次元バーコードの一例とその二次元バーコードに記録されているＡＰ情報とを示している。
【００４３】
ＡＰ（アクセス・ポイント）情報には，ＡＰ情報であることを知らせるための「ＡＰ」，タイトル（TITLE），ESSID，WEP-KEYがある。このようなＡＰ情報が二次元バーコードに記録されている。
【００４４】
図４は，二次元バーコードの一例とその二次元バーコードに記録されている送信先情報とを示している。
【００４５】
送信先情報には，送信先情報であることを知らせるための「ＴＯ」，タイトル（タイトル），アドレス（ＡＤＲ），ユーザ名（ＵＳＲ），パスワード（ＰＡＳＳ）がある。このような送信先情報が二次元バーコードに記録されている。
【００４６】
図５は，ディジタル・スチル・カメラ１の表示画面に表示されるSETUPモード画像の一例である。
【００４７】
SETUPモードにおいて設定できる項目には，時計，撮影モード，画質，画素数およびＩＳＯ感度がある。時計の項目に対応して，年月日および時刻が表示されている。撮影モードの項目に対応して「通常」，「プレビュー」および「連写」の文字が表示されている。画質の項目に対応して「FINE」，「NORMAL」および「ECONOMY」の文字が表示されている。画素数の項目に対応して「1600×1200」，「1280×960」および「640×480」の文字が表示されている。ＩＳＯ感度の項目に対応して「100」，「200」，「400」およ「800」の文字が表示されている。
【００４８】
複数の項目のうち一つの項目がカーソルＣによって反転表示させられている。ディジタル・スチル・カメラ１の上下左右ボタン８のうち上矢印ボタンまた下矢印ボタンが押されることにより，カーソルＣが上の項目または下の項目に移動する。カーソルＣが位置している項目を設定することができる。
【００４９】
撮影モードの項目に対応する内容（文字）のうち一つの内容がカーソルＣ１によって囲まれている。カーソルＣ１で囲まれている内容に設定される。同様に，画質の項目に対応する内容のうち一つの内容がカーソルＣ２によって，画素数の項目に対応する内容のうち一つの内容がカーソルＣ３によって，ＩＳＯ感度の項目に対応する内容のうち一つの内容がカーソルＣ４によってそれぞれ囲まれている。それぞれのカーソルによって囲まれている内容にディジタル・スチル・カメラ１が設定される。
【００５０】
図６および図７は，モード選択ダイアル２によって無線ＬＡＮモードが設定された場合の処理手順を示すフローチャートである。
【００５１】
無線ＬＡＮモードが設定されると，メモリ・カード42に記録されている画像データによって表される画像のうち，最後に撮影された画像が表示すべき画像として設定される（ステップ51）。
【００５２】
つぎに，設定された画像とともに，ディジタル・スチル・カメラ１に設定されているＡＰ情報および送信先情報がディジタル・スチル・カメラ１の表示画面７に表示される（ステップ53）。ＡＰ情報および送信先情報が設定されていなければ（不揮発性メモリ35に送信に利用されるアクセス・ポイントを示すＡＰ情報および送信先を示す送信先情報として記憶されていなければ），ＡＰ情報および送信情報が表示されるべき部分は空白とされる。
【００５３】
図８は，アクセス・ポイント等が表示される画像の一例である。
【００５４】
表示画面７の全体に渡って，設定された画像が表示されている。画像の右端部には，表示画面７に表示させる画像のコマ送りをユーザに報知する領域Ａ11，実行ボタン10が押されることにより，表示画面７に表示されている画像を表す画像データが無線送信されることを報知する領域Ａ12およびメニュー・ボタン９が押されることにより，ＡＰ情報および送信先情報の少なくとも一方の設定を変更（新規に設定）できることをユーザに報知する領域Ａ13が設定されている。表示画面７に表示されている画像の下の部分の領域Ａ14には，アクセス・ポイント（ＡＰ：公衆WLANスポット）および送信先（ＴＯ：○○○Print Service）が表示されている。
【００５５】
図６に戻って，上下左右ボタン８のうち，左矢印または右矢印が押されると（ステップ54でＹＥＳ），表示画面７に表示される画像が変更させられる（ステップ55）。左矢印が押されると表示されている画像の一駒前の画像が表示され，右矢印が押されると表示されている画像の一駒後の画像が表示される。
【００５６】
実行ボタン10が押されると（ステップ56でＹＥＳ），表示画面７に表示されている画像を表す画像データの送信処理に移行する。この送信処理については，後述する。
【００５７】
実行ボタン10が押されずに（ステップ56でＮＯ），メニュー・ボタン９が押されると（ステップ57でＹＥＳ），図９および図10に示すＡＰ情報および送信先情報設定処理に移行する（ステップ58）。このＡＰ情報および送信先情報設定処理についても後述する。このように，ＡＰ情報および送信先情報設定処理は，無線ＬＡＮモードが設定されていることを条件に行われることとなる。無線ＬＡＮモードが設定されていることに応じてＡＰ情報および送信先情報設定処理が行われることとなる。メニュー・ボタン９が押されずに（ステップ57でＮＯ），モード選択ダイアル２によってモードが変更されなければ（ステップ59でＮＯ），ステップ53以降の処理が繰り返される。モード変更があると（ステップ59でＹＥＳ），その変更したモードとなる。
【００５８】
実行ボタン10が押されると（ステップ56でＹＥＳ），送信先が設定されているかどうかが確認される（ステップ60でＹＥＳ）。送信先が設定されていなければ（ステップ60でＮＯ），送信先が未設定の旨が表示画面７に表示される（ステップ61）。
【００５９】
送信先が設定されていると（ステップ60でＹＥＳ），ＡＰ情報を用いて，設定されているアクセス・ポイントに接続される（ステップ62）。アクセス・ポイントへの接続が成功しないと（ステップ63でＮＯ），アクセス・ポイントへの接続が失敗した旨が表示画面７に表示される（ステップ64）。
【００６０】
アクセス・ポイントへの接続が成功すると（ステップ63でＹＥＳ），送信先情報を用いて，設定されている送信先に接続される（ステップ65）。送信先への接続が成功しないと（ステップ66でＮＯ），送信先への接続が失敗した旨が表示画面７に表示される（ステップ70）。
【００６１】
送信先への接続が成功すると（ステップ66でＹＥＳ），表示画面７に表示されている画像を表す画像データがフレーム・メモリ29から読み取られ，無線アンテナ４から送信先に送信される（ステップ68）。画像データの送信が成功しないと（ステップ69でＮＯ），送信失敗の旨が表示画面７に表示される（ステップ70）。画像データの送信が成功すると（ステップ69でＹＥＳ），送信成功の旨が表示画面７に表示される（ステップ71）。
【００６２】
図９および図10は，ＡＰ情報および送信先情報設定処理（図６ステップ58の処理）を示すフローチャートである。
【００６３】
上述したように，無線ＬＡＮモードにおいてメニュー・ボタン９が押されるとＡＰ情報および送信先情報設定処理に移行する。すると，ディジタル・スチル・カメラ1の表示画面７には，図11に示すようにＡＰ情報の設定を選択するのか（AP選択），送信先情報を選択するのか（送信先選択）を選択する画像が表示される（ステップ81）。
【００６４】
選択画像には，送信すべき画像の駒番号（001-0001）が上部に表示されている。選択画像のほぼ中央部分には，「ＡＰ選択」の文字および「送信先選択」の文字が表示されていちる。これらの文字のいずれかがカーソルC21によって囲まれる。また，選択画像には，カーソルＣ21の移動方法をユーザに報知する領域Ａ21およびAP情報または送信先情報の選択方法をユーザに報知する領域Ａ22が含まれている。
【００６５】
領域Ａ21には，上下左右ボタン８のうち，上矢印が押されることによりカーソルＣ21が上方向に移動し（ＡＰ選択の文字をカーソルＣ21が囲む），下矢印が押されることによりカーソルＣ21が下方向に移動する（送信先選択の文字を囲む）旨が表示されている。領域Ａ22には，メニュー・ボタン９が押されることにより，カーソルＣ21で囲まれている処理が選択される旨が表示されている。
【００６６】
カーソルＣ21がＡＰ選択の文字を囲んでいる場合にメニュー・ボタン９が押されると，アクセス・ポイントの設定処理に移行する。カーソルＣ21が送信先選択の文字を囲んでいる場合にメニュー・ボタン９が押されると，送信先の設定処理に移行する。
【００６７】
図９に戻って，ＡＰ選択か送信先選択かが判断される（ステップ82，83）。まず，送信先選択が行われるものとする（ステップ82でＮＯ，83でＹＥＳ）。
【００６８】
送信先選択が実行されると，ディジタル・スチル・カメラ１の表示画面７には，図12に示す送信先選択画像が表示される（ステップ84）。
【００６９】
送信先選択画像には，そのほぼ中央にすでにディジタル・スチル・カメラ１の不揮発性メモリ35に記憶されている送信先（○○○Print  Service，インターネット・アルバム・サービス，○×写真店）が表示されている。いずれかの送信先がカーソルＣ31によって囲まれている。すでに設定されている送信先がある場合には，その設定されている送信先がカーソルＣ31によって最初に囲まれるようにしてもよい。
【００７０】
送信先選択画像の右側部分には，カーソルＣ31の移動方法をユーザに報知する領域Ａ31，選択方法をユーザに報知する領域Ａ32，登録削除方法をユーザに報知する領域Ａ33および新規登録方法をユーザに報知する領域Ａ34が表示されている。
【００７１】
領域Ａ31には上下左右ボタン８のうち，上矢印が押されることによりカーソルＣ31が上に移動し，下矢印が押されることによりカーソルＣ31が下に移動する旨が表示されている。領域Ａ32には実行ボタン10が押されることにより，カーソルＣ31によって囲まれている送信先が選択される旨が表示されている。領域Ａ33にはキャンセル・ボタン11が押されることにより，カーソルＣ31で囲まれている送信先の登録が削除される旨が表示されている。領域Ａ34にはメニュー・ボタン９が押されることにより送信先の新規登録処理が開始される旨が表示されている。
【００７２】
図９に戻って，送信先選択画像が表示画面７に表示されている場合にメニュー・ボタン９が押されると（ステップ85でＹＥＳ），表示画面７には，送信先情報用二次元バーコード（図４参照）に，ディジタル・スチル・カメラ１を向けて送信先情報用二次元バーコードの撮影指示の画像が表示される（ステップ94）。ユーザによって送信先情報用二次元バーコードが撮影され，そのバーコードに記録されている送信先情報の読み取り処理が行われる（ステップ95）。この読み取り処理について詳しくは後述する。
【００７３】
バーコード読み取り処理が成功すると（ステップ96でＹＥＳ），読み取られた送信先情報が解析される（ステップ97）。読み取られた送信先情報が規格どおりのもので正しければ（ステップ98でＹＥＳ），読み取られた送信先情報が新規に登録される（ステップ99）。読み取られた送信先情報が不揮発性メモリ35に格納されることとなる（ステップ93）。バーコード読み取り処理が成功しないと（ステップ96でＮＯ），送信先の読み取りが失敗した旨が表示画面７に表示される（ステップ100）。必要に応じて再度送信情報用二次元バーコードの読み取り処理が行われる。
【００７４】
メニュー・ボタン９が押されないと（ステップ85でＮＯ），どのボタンが押されたかによって処理が変わる。キャンセル・ボタン11が押されると（ステップ86でＹＥＳ），カーソルＣ31によって囲まれている（フォーカスされている）送信先が登録から削除される（ステップ87）。また，先頭（一番上）の送信先にカーソルＣ31が移動する（ステップ88）。上下左右ボタン８の上矢印または下矢印が押されると（ステップ89でＹＥＳ），その押し下げに応じてカーソルＣ31が上または下に移動する（ステップ90）。実行ボタン10が押されると（ステップ91でＹＥＳ），カーソルＣ31によって囲まれている送信先が画像データの送信先として設定される（ステップ92）。そして，設定された送信先が不揮発性メモリ35に格納される（ステップ93）。
【００７５】
ＡＰ選択が実行される場合には（ステップ82でＹＥＳ），ディジタル・スチル・カメラ１の表示画面７には，図13に示すＡＰ選択画像が表示される（ステップ101）。
【００７６】
ＡＰ選択画像には，送信先選択画像と同様に，ほぼ中央に，登録されているアクセス・ポイント（自宅，公衆WLANスポット，オフィス）が表示されている。登録されているアクセス・ポイントのうちいずれかのアクセス・ポイントがカーソルＣ41によって囲まれている。最初は，設定されているアクセス・ポイントをカーソルＣ41が囲むようにしてもよい。
【００７７】
送信先選択画像の右側部分には，カーソルＣ41の移動方法をユーザに報知する領域Ａ41，選択方法をユーザに報知する領域Ａ42，登録削除方法をユーザに報知する領域Ａ43および新規登録方法をユーザに報知する領域Ａ44が表示されている。
【００７８】
領域Ａ41には上下左右ボタン８のうち，上矢印が押されることによりカーソルＣ41が上に移動し，下矢印が押されることによりカーソルＣ41が下に移動する旨が表示されている。領域Ａ42には実行ボタン10が押されることにより，カーソルＣ41によって囲まれている送信先が選択される旨が表示されている。領域Ａ43にはキャンセル・ボタン11が押されることにより，カーソルＣ41で囲まれている送信先の登録が削除される旨が表示されている。領域Ａ44にはメニュー・ボタン９が押されることにより送信先の新規登録処理が開始される旨が表示されている。
【００７９】
図10を参照して，メニュー・ボタン９が押されると（ステップ102でＹＥＳ），ＡＰ情報の読み取り処理に移行する。
【００８０】
送信先情報の読み取り処理と同様に，ディジタル・スチル・カメラ１の表示画面７には，ディジタル・スチル・カメラ１をＡＰ情報用二次元バーコード（図３参照）に向け，そのＡＰ情報用二次元バーコードの撮影指示が表示される（ステップ111）。ＡＰ情報用二次元バーコードが読み取られる（ステップ112）。読み取り処理が成功すると（ステップ113でＹＥＳ），読み取られた情報が解析される（ステップ114）。読み取られた情報がＡＰ情報の規格にしたがったものであり，正しければ（ステップ115でＹＥＳ），読み取られたアクセス・ポイントが画像データを送信するのに用いられるアクセス・ポイントとして設定される（ステップ116）。設定されたアクセス・ポイントが不揮発性メモリ35に格納される（ステップ110）。
【００８１】
メニュー・ボタン９が押されないと（ステップ102でＮＯ），押されたボタンに応じた処理が行われる。
【００８２】
キャンセル・ボタン11が押されると（ステップ103でＹＥＳ），カーソルＣ41によって囲まれているアクセス・ポイントが削除され（ステップ104），先頭のアクセス・ポイントがカーソルＣ41によって囲まれる（ステップ105）。上下左右ボタン８の上矢印または下矢印が押されると（ステップ106でＹＥＳ），カーソルＣ41が上または下に移動する（ステップ107）。実行ボタン10が押されると（ステップ108でＹＥＳ），カーソルＣ41によって囲まれているアクセス・ポイントがアクセス・ポイントとして設定される（ステップ109）。設定されたアクセス・ポイントが不揮発性メモリ35に格納される（ステップ110）。
【００８３】
図14は，バーコード読み取り処理（図９ステップ95または図10ステップ112の処理）を示すフローチャートである。
【００８４】
バーコード読み取り処理に移行すると，まず，ディジタル・スチル・カメラは，マクロ撮像モードに設定される（ステップ121）。また，ストロボ発光モードが設定されている場合にはストロボ発光がオフとされる（ステップ122）。さらに，ＩＳＯ感度が800相当になるように信号処理ブロック20に含まれるゲイン・コントロール増幅回路17に与えられるゲイン制御信号が制御される（ステップ123）。バーコードの読み取り処理の回数を制限するためのカウンタが初期化される（ステップ124）。
【００８５】
つづいて，バーコード解析処理が起動させられる（ステップ125）。バーコード解析処理については後述する（図15参照）。バーコード解析処理が起動している状態で，プレビュー・モードにおいてバーコードが撮影される（ステップ126）。プレビュー・モードの処理についても後述する。
【００８６】
プレビュー・モードにおいて，撮影されたバーコードの解析が成功したかどうかを表すフラグがセットされる。フラグがTRUEにセットされていれば（ステップ127），バーコード読み取り処理が成功したものとして終了する。フラグがFALSEにセットされていれば（ステップ127），カウントが最大値となるかどうかが確認される（ステップ128）。カウントが最大値でなればカウンタがインクレメントされ（ステップ129），再びステップ125からの処理が繰り返される。
【００８７】
図15は，バーコード解析処理を示すフローチャートである。
【００８８】
後述するようにプレビュー・モードでのバーコード撮影が行われると，フレーム・メモリ29にバーコードを表す画像データが一時的に記憶される。このために，プレビュー・モードにおいてバーコードが撮影され，フレーム・メモリ29に非圧縮のバーコード画像データが記憶されているかどうかが確認される（ステップ131）。バーコード画像データがフレーム・メモリ29に一時的に記憶されていると（ステップ131でＹＥＳ），そのバーコード画像データが読み取られ，バーコードの内容が解析される（ステップ132）。この解析は，CRC（Cyclic Redundancy Check），チェック・サム，リード・ソロモン符号などを利用することができよう。
【００８９】
バーコード画像データの読み取りおよびその解析が成功すると（ステップ133でＹＥＳ），フラグがTRUEにセットされる（ステップ134）。失敗すると（ステップ133でＮＯ），フラグがFALSEにセットされる（ステップ135）。このようにしてセットされたフラグの内容が，上述したようにバーコード読み取り処理において利用される。
【００９０】
図16は，プレビュー・モードの処理（図14のステップ126の処理）を示すフローチャートである。
【００９１】
バーコードが撮影され，バーコード画像を表すバーコード画像データが非圧縮の状態でフレーム・メモリ29に与えられ，一時的に記憶される（ステップ141）。バーコード画像データは，フレーム・メモリ29に与えられ，表示画面７にバーコード画像が表示される（ステップ142）。何らかの指令があたら得られるまで待機状態となる（ステップ143）。
【００９２】
上述したようにバーコード解析処理（図15）においてバーコード画像データの読み取りおよび解析が成功すると，ＮＧ指令（システム・メモリ34に一時的に記憶されている画像データをメモリ・カード42には記録しない旨の指令）が発生する（ステップ143，ステップ144でＮＧ）。このように，バーコードを撮影した場合にＮＧ指令が発生するのはバーコード画像データがメモリ・カード42に記録されてしまうことを未然に防止するためである。もっともあえてバーコード画像データをメモリ・カード42に記録するようにしてもよいのはいうまでもない。
【００９３】
通常のプレビュー・モードであれば，被写体像が表示画面７に表示され（ステップ142），ユーザによって被写体像が確認される。その被写体像を表す画像データをメモリ・カード42に記録する場合には，ユーザによって実行ボタン10が押され，その被写体像を表す画像データをメモリ・カード42に記録しない場合には，ユーザによってキャンセル・ボタン11が押される。実行ボタン10が押されることによりＯＫ指令が発生し，キャンセル・ボタン11が押されることによりＮＧ指令が発生する。
【００９４】
ＯＫ指令が発生したことにより，システム・メモリ34に一時的に記憶されている画像データが読み取られ，圧縮／伸長回路25において圧縮される（ステップ145）。また，画像データからサムネイル画像データが生成される（ステップ146）。さらに，所定のタグ情報が生成される（ステップ147）。圧縮された画像データ，サムネイル画像データおよびタグ情報から画像ファイルが生成され，メモリ・カード42に記録される（ステップ148）。
【図面の簡単な説明】
【００９５】
【図１】（Ａ）は，ディジタル・スチル・カメラの斜視図，（Ｂ）は，モード選択ダイアルを示している。
【図２】ディジタル・スチル・カメラの電気的構成を示すブロック図である。
【図３】ＡＰ情報用二次元バーコードとＡＰ情報とを示している。
【図４】送信先情報用二次元バーコードと送信先情報とを示している。
【図５】表示画面に表示される画像の一例である。
【図６】無線ＬＡＮモードの処理手順を示すフローチャートである。
【図７】無線ＬＡＮモードの処理手順を示すフローチャートである。
【図８】表示画面に表示される画像の一例である。
【図９】アクセス・ポイント送信先設定処理手順を示すフローチャートである。
【図１０】アクセス・ポイント送信先設定処理手順を示すフローチャートである。
【図１１】表示画面に表示される画像の一例である。
【図１２】表示画面に表示される画像の一例である。
【図１３】表示画面に表示される画像の一例である。
【図１４】バーコード読み取り処理手順を示すフローチャートである。
【図１５】バーコード解析処理を示すフローチャートである。
【図１６】プレビュー・モードにおける処理手順を示すフローチャートである。
【符号の説明】
【００９６】
１  ディジタル・スチル・カメラ
２  モード選択ダイアル
３  シャッタ・レリーズ・ボタン
４  アンテナ
５  ストロボ
７  表示画面
８  上下左右ボタン
９  メニュー・ボタン
10  実行ボタン
11  取り消しボタン
15  ＣＰＵ
17  ゲイン・コントロール増幅回路
26  無線インターフェイス
34  システム・メモリ（カメラ内蔵メモリ）
【図１】
2005286439.tif 000003
【図２】
2005286439.tif 000004
【図３】
2005286439.tif 000005
【図４】
2005286439.tif 000006
【図５】
2005286439.tif 000007
【図６】
2005286439.tif 000008
【図７】
2005286439.tif 000009
【図８】
2005286439.tif 000010
【図９】
2005286439.tif 000011
【図１０】
2005286439.tif 000012
【図１１】
2005286439.tif 000013
【図１２】
2005286439.tif 000014
【図１３】
2005286439.tif 000015
【図１４】
2005286439.tif 000016
【図１５】
2005286439.tif 000017
【図１６】
2005286439.tif 000018